(57)【要約】【課題】解像度を低下させずに、より多くの色を表示することができる画像表示装置を提供する。【解決手段】画像表示装置１０は画像表示媒体１２及び電圧印加部１４から構成される。画像表示媒体１２は透明な表示基板１６と背面基板１８との間に帯電極性が異なる黒色粒子２２及び白色粒子２４が封入されて構成される。表示基板１６は基板２６上に表示側電極２８及び絶縁層３０が形成された構成であり、背面基板１８は、基板３２上に内側電極３４、外側電極３６、着色部４０、絶縁層４２が形成された構成である。着色部４０の色による表示を行なう場合には、電圧印加部１４は外側電極３６を接地し且つ内側電極３４に交番電圧を印加して粒子を外側電極３６上に移動させる。電圧印加部１４は、交番電圧のサイクル数等を変更することにより着色部４０の色の階調制御を行なう。【選択図】        図４
2004191535.tif 000002
【特許請求の範囲】
【請求項１】
少なくとも透光性を有する表示基板と、前記表示基板と対向した背面基板と、前記背面基板側に設けられた着色部と、前記表示基板と前記背面基板との基板間に印加された電圧により形成された電界により前記基板間を移動可能に封入され、前記着色部の色と異なる粒子群と、を備えた画像表示媒体と、
前記粒子群の色による表示を行なう場合、直流電圧又は第１の交番電圧を前記基板間に印加し、前記着色部の色による表示を行なう場合、前記表示基板を含む面と平行方向に前記粒子群を移動させるための第２の交番電圧を前記基板間に印加すると共に、前記第２の交番電圧のサイクル数、周波数、及び電圧値の少なくとも１つを画像情報に応じて変更する電圧印加手段と、
を備えた画像表示装置。
【請求項２】
前記電圧印加手段は、前記第２の交番電圧のサイクル数、周波数、及び電圧値の少なくとも２つ以上を画像情報に応じて変更することを特徴とする請求項１記載の画像表示装置。
【請求項３】
前記電圧印加手段は、表示切り替えを行なう前に、予め前記直流電圧又は第３の交番電圧を前記基板間に印加して前記粒子群を移動させ、同一色が表示されるようにすることを特徴とする請求項１又は請求項２記載の画像表示装置。
【請求項４】
前記粒子群は、色及び帯電特性が異なる複数種類の粒子群であることを特徴とする請求項１乃至請求項３の何れか１項に記載の画像表示装置。
【請求項５】
前記複数種類の粒子群は、白色及び黒色の粒子群からなることを特徴とする請求項４記載の画像表示装置。
【請求項６】
前記着色部は、赤、緑、青で着色された領域を含むことを特徴とする請求項１乃至請求項５の何れか１項に記載の画像表示装置。
【請求項７】
前記着色部は、イエロー、マゼンダ、シアンで着色された領域を含むことを特徴とする請求項１乃至請求項５の何れか１項に記載の画像表示装置。
【請求項８】
前記背面基板及び前記着色部が光透過性を有し、前記背面基板及び前記着色部に光を照射するためのバックライトをさらに備えたことを特徴とする請求項１乃至請求項７の何れか１項に記載の画像表示装置。
【請求項９】
前記背面基板が透明であり、前記背面基板の背後に前記着色部が設けられたことを特徴とする請求項１乃至請求項８の何れか１項に記載の画像表示装置。
【発明の詳細な説明】
【０００１】
【発明の属する技術分野】
本発明は、反射型の画像表示装置に係り、特に、電界によって着色粒子を駆動することにより繰り返し書き換えが可能な画像表示媒体を用いた画像表示装置に関する。
【０００２】
【従来の技術】
従来の着色粒子を使用した画像表示装置においてカラー画像を表示するには、表示基板側にカラーフィルタを配置する方法が一般的であった。しかしながら、この方法では白色度及び白黒画像の解像度が低下してしまうという問題があった。そこで、本発明者らは、背面基板面を着色し、着色粒子による色表示に加え背面基板による色表示を行うことで、白黒表示画質を損なうことなくカラー表示を行う方法を提案した（例えば特許文献１参照）。
【０００３】
この方法は、従来の着色粒子を表示基板に付着させて着色粒子の色を表示するのに加え、着色粒子を基板面と水平方向に移動集合させて所望の部位の着色粒子を退避させ、透明な表示基板を介して背面基板面の色を表示させるものである。
【０００４】
【特許文献１】
特開２００２−１６９１９１号公報
【０００５】
【発明が解決しようとする課題】
しかしながら、上記従来技術では、着色粒子の色を表示するか、背面基板の色を表示するかの２値表示しかできず、表示濃度を変更することができない。このため、例えば粒子として白色粒子と黒色粒子を用いると共に、背面基板がＲ（赤）、Ｇ（緑）、Ｂ（青）に各々着色されたセルを１つの画素とした場合、１画素で最大８色（白、黒、赤、緑、青、シアン、マゼンダ、イエロー）しか表示することができず、カラー表示性能が十分ではない。
【０００６】
また、より多くの色を表示するには、１画素当たりのセルの数を多くすればよいが、解像度が低下して画像の粗さが目立ち、表示品質が劣化してしまう。
【０００７】
本発明は、上記問題点に鑑みて成されたものであり、解像度を低下させずに、より多くの色を表示することができる画像表示装置を提供することを目的とする。
【０００８】
【課題を解決するための手段】
上記課題を解決するため請求項１記載の発明は、少なくとも透光性を有する表示基板と、前記表示基板と対向した背面基板と、前記背面基板側に設けられた着色部と、前記表示基板と前記背面基板との基板間に印加された電圧により形成された電界により前記基板間を移動可能に封入され、前記着色部の色と異なる粒子群と、を備えた画像表示媒体と、前記粒子群の色による表示を行なう場合、直流電圧又は第１の交番電圧を前記基板間に印加し、前記着色部の色による表示を行なう場合、前記表示基板を含む面と平行方向に前記粒子群を移動させるための第２の交番電圧を前記基板間に印加すると共に、前記第２の交番電圧のサイクル数、周波数、及び電圧値の少なくとも１つを画像情報に応じて変更する電圧印加手段と、を備えたことを特徴とする。
【０００９】
この発明によれば、画像表示媒体は、表示基板と背面基板との基板間に、着色部の色と異なる粒子群が封入されて構成されている。粒子群は、基板間に印加された電圧により形成された電界により基板間を移動可能に封入されている。着色部は、背面基板に設けてもよく、背面基板と別個独立に設けてもよいが、背面基板が着色部を兼用してもよい。すなわち、背面基板そのものが着色されていてもよく、背面基板の素材そのものの色が粒子群の色と異なっていても良い。
【００１０】
なお、表示基板は、透光性を有しており、例えば透明、半透明、有色透明の何れかであるガラス基板や絶縁性の樹脂等の誘電体等で構成することができる。また、粒子は例えば絶縁性の粒子や導電性の粒子を用いることができる。また、表示基板と背面基板との基板間に電界を形成するための電極は、表示基板及び背面基板の対向面に各々設けてもよいし、表示基板及び背面基板の対向面と反対側の面、すなわち外側の面に各々設けてもよいし、基板の中に各々設けてもよいし、表示基板及び背面基板の外側に別個独立に各々設けてもよい。
【００１１】
粒子群が１種類の場合には、粒子と着色部の色とのコントラストで画像を表示することができる。請求項４に記載したように、色及び帯電特性が異なる複数種類の粒子群を用いた場合には、異なる種類の粒子群のコントラスト又は粒子群と着色部とのコントラストにより画像を表示することができる。また、請求項５に記載したように、白色及び黒色の粒子群を用いることにより、無彩色を表示することができると共に、白色度及び黒色度の高い表示を行うことが可能となる。
【００１２】
電圧印加手段は、粒子群の色による表示を行なう場合、直流電圧又は第１の交番電圧を基板間に印加する。例えば、正に帯電した粒子群の色を表示する場合には、負の直流電圧を表示基板側に印加する。または、例えば数サイクル程度の第１の交番電圧を印加し、最終パルスを負の電圧とする。これにより、正に帯電した粒子群が表示基板側に移動する。
【００１３】
一方、負に帯電した粒子群の色を表示する場合には、正の直流電圧を表示基板側に印加する。または、例えば数サイクル程度の第１の交番電圧を印加し、最終パルスを正の電圧とする。これにより、負に帯電した粒子群が表示基板側に移動する。このようにして、所望の粒子群の色を表示することができる。なお、電圧の印加を停止した後も、鏡像力やファンデルワース力等の付着力により粒子は表示基板又は背面基板に付着したままとなり、画像表示が維持される。
【００１４】
また、着色部の色による表示を行なう場合は、電圧印加手段は、表示基板を含む面と平行方向に粒子群を移動させるための第２の交番電圧、すなわち、粒子群を周囲へ移動させるための第２の交番電圧を基板間に印加する。これにより、粒子群が周辺へ移動して着色部が露呈し、表示基板側から着色部の色を視認することができる。
【００１５】
また、第２の交番電圧のサイクル数、周波数、電圧値と、着色部の表示濃度との関係は、サイクル数、周波数、電圧値が高くなるに従って表示濃度も高くなる関係にある。これは、サイクル数、周波数、電圧値が高くなるに従って前記平行方向へ移動する粒子の量も多くなり、その結果着色部の露出の度合いが大きくなって着色部の表示濃度が高くなると考えられる。
【００１６】
そこで、電圧印加手段は、第２の交番電圧を印加する際には、そのサイクル数、周波数、及び電圧値の少なくとも１つを画像情報（濃度情報）に応じて変更する。これにより、着色部の色を階調制御、すなわち濃度制御することができ、より多くの色を表示することができる。
【００１７】
請求項２記載の発明は、前記電圧印加手段は、前記第２の交番電圧のサイクル数、周波数、及び電圧値の少なくとも２つ以上を画像情報に応じて変更することを特徴とする。例えば、第２の交番電圧のサイクル数と表示濃度との関係に非線形部分が存在する場合には、例えば周波数や電圧値を適宜変更することにより、非線形部分が線形となるように補正することができる。これにより、階調数を増加させることができる。
【００１８】
請求項３記載の発明は、前記電圧印加手段は、表示切り替えを行なう前に、予め前記直流電圧又は第３の交番電圧を前記基板間に印加して前記粒子群を移動させ、同一色が表示されるようにすることを特徴とする。
【００１９】
この発明によれば、表示切り替えを行なう場合、その前に、一旦粒子群を移動させて表示面を同一色にしてから表示切り替えを行なう。すなわち、粒子群の配置状態が均一化した状態から表示切替えを行なうため、より安定した階調表示を行なうことができる。
【００２０】
なお、第３の交番電圧は特に周波数や電圧値を限定するものでなく、粒子群を移動させ、粒子群の配置状態を均一にするものであれば第１の交番電圧あるいは第２の交番電圧と同一の周波数、電圧値であってもよい。
【００２１】
請求項６記載の発明は、前記着色部は、赤、緑、青で着色された領域を含むことを特徴とする。これにより、様々な色を表示することができる。
【００２２】
請求項７記載の発明は、前記着色部は、イエロー、マゼンダ、シアンで着色された領域を含むことを特徴とする。このように、着色部を赤、緑、青と補色の関係にあるイエロー、マゼンダ、シアンで着色された領域を含むようにすることでも、様々な色を表示することができる。
【００２３】
請求項８記載の発明は、前記背面基板及び前記着色部が光透過性を有し、前記背面基板及び前記着色部に光を照射するためのバックライトをさらに備えたことを特徴とする。
【００２４】
この発明によれば、バックライトの光を背面基板に照射することにより、着色部の色をより鮮明に表示することができる。
【００２５】
請求項９記載の発明は、前記背面基板が透明であり、前記背面基板の背後に前記着色部が設けられたことを特徴とする
この発明によれば、着色部を背面基板の背後に別個独立に設けることにより、着色部を交換するだけで容易に他の色を表示させることができる。また、画像表示媒体の構成を簡単にすることができ、製造を容易化することができる。
【００２６】
【発明の実施の形態】
以下、図面を参照して本発明の実施の形態について詳細に説明する。
【００２７】
図１に示すように、画像表示装置１０は、画像表示媒体１２及び電圧印加手段としての電圧印加部１４から構成されている。なお、図１では、説明の簡単のため、１つのセル（画素）についてのみ模式的に示した。このセルを多数備えた画像表示媒体を構成することにより、所望の画像を表示することができる。
【００２８】
画像表示媒体１２は、画像表示面を形成する透明な表示基板１６と背面基板１８との間に間隙部材２０が設けられ、この間隙部材２０によって形成されたセル内に正に帯電した黒色粒子２２及び負に帯電した白色粒子２４が封入された構成である。
【００２９】
表示基板１６は、透明な基板２６上に透明な表示側電極２８及び透明な絶縁層３０が形成された構成である。背面基板１８は、基板３２上に、内側電極３４及び外側電極３６から成る背面側電極を含む電極層３８、着色部４０、及び透明な絶縁層４２が形成された構成である。なお、図１（Ｂ）に示すように内側電極３４は矩形状の銅薄膜から成り、外側電極３６は矩形輪状の銅薄膜から成る。
【００３０】
本実施の形態では、一例として内側電極３４は０．９ｍｍ×０．９ｍｍの正方形、外側電極３６は約０．１ｍｍ幅の矩形輪状とし、内側電極３４と外側電極３６の間隙は０．０３ｍｍとした。
【００３１】
また、表示側電極２８は接地されており、内側電極３４及び外側電極３６は電圧印加部１４に接続されており、画像情報に応じて各々独立して電圧が印加されるように構成されている。
【００３２】
本実施の形態では、表示基板１６は、例えば基板２６及び表示側電極２８として透明なＩＴＯ基板を使用し、この表面を例えばポリカーボネートによりコーティングして絶縁層３０を形成することにより作製した。また、表示基板１６上に所謂フォトリソグラフィによって高さ３００ｕｍの間隙部材２０を形成した。
【００３３】
また、背面基板１８は、ガラスエポキシ基板から成る基板３２上に銅箔膜から成る内側電極３４及び外側電極３６を形成し、その上に印刷によって着色部４０（例えばマゼンダ）を形成し、その表面をポリカーボネートから成る絶縁層４２を形成することにより作製した。
【００３４】
そして、各基板の電極面が対向するように両基板を重ね、基板間に正に帯電した黒色粒子２２及び負に帯電した白色粒子２４を封入して画像表示媒体１２を作製した。
【００３５】
なお、本実施の形態では、電圧印加の方式として、画素毎に独立して電圧を印加する所謂アクティブマトリクス方式を用いた場合について説明する。
【００３６】
このような画像表示装置１０において、図２に示すような白表示を行う場合には、電圧印加部１４は、内側電極３４及び外側電極３６の各々に、負の直流電圧（例えば−２００Ｖ）を所定時間（例えば２０ｍｓｅｃ）印加する。これにより、基板間に発生した電界の作用により、図２に示すように、背面基板１８側の負に帯電した白色粒子２４が表示基板１６側へ移動し、表示基板側１６側の正に帯電した黒色粒子２２は、背面基板１８側へ移動し、白表示となる。また、第１の交番電圧として例えば数サイクル程度の交番電圧を印加し、最終パルスを負の電圧としても同様に白表示状態とすることができる。
【００３７】
一方、図３に示すような黒表示を行う場合には、電圧印加部１４は、内側電極３４及び外側電極３６の各々に、正の直流電圧（例えば＋２００Ｖ）を所定時間（例えば２０ｍｓｅｃ）印加する。これにより、基板間に発生した電界の作用により、図３に示すように、背面基板１８側の正に帯電した黒色粒子２２が表示基板１６側へ移動し、表示基板側１６側の負に帯電した白色粒子２４は、背面基板１８側へ移動し、黒表示となる。また、第１の交番電圧として例えば数サイクル程度の交番電圧を印加し、最終パルスを正の電圧としても同様に黒表示状態とすることができる。
【００３８】
なお、電圧の印加を停止した後も、鏡像力やファンデルワース力等の付着力により粒子は表示基板１６又は背面基板１８に付着したままとなり、表示状態は維持される。
【００３９】
また、図４に示すように、黒色粒子２２及び白色粒子２４をセルの外側に退避させ、着色部４０の色を表示させる場合には、電圧印加部１４は、内側電極３４に第２の交番電圧（例えば±２００Ｖ、周波数２００Ｈｚ、サイクル数５０）を印加し、外側電極３６を接地する。これにより、図４に示すように、黒色粒子２２及び白色粒子２４は基板面と平行な方向へ移動し、接地された外側電極３６側、すなわち電界が発生していない基板間に集まる。従って、内側電極３４上に殆ど粒子が存在しなくなり、着色部４０の色を表示基板１６側から視認することができる。
【００４０】
また、この状態から、内側電極３４と外側電極３６とに、前記第２の交番電圧を印加すると、外側電極３６上に集合した粒子が分散していき、粒子の分布を均一な状態に戻すことができる。
【００４１】
ここで、図５に周波数が一定（２００Ｈｚ）且つ振幅が一定（±２００Ｖ）の場合における第２の交番電圧のサイクル数と着色部４０の表示濃度との関係を、図６に電圧印加時間が一定（２００ｍｓｅｃ）且つ振幅が一定（±２００Ｖ）の場合における第２の交番電圧の周波数と着色部４０の表示濃度との関係を、図７に周波数が一定（２００Ｈｚ）且つサイクル数が一定（３０回）の場合における第２の交番電圧の振幅と着色部４０の表示濃度との関係をそれぞれ示した。なお、表示濃度はＸ−Ｒｉｔｅ４０４（Ｘ−Ｒｉｔｅ社製）を用いて測定した。
【００４２】
図５〜７に示すように、第２の交番電圧のサイクル数、周波数、振幅が増加するに従って、着色部４０の色の表示濃度が徐々に高くなる領域が存在することがわかる。
【００４３】
図５に示すように、第２の交番電圧のサイクル数が０〜１０の範囲、４０以上の範囲では表示濃度がほぼ一定であるが、サイクル数が１０〜４０の範囲ではサイクル数が増加するに従ってほぼ線形的に表示濃度も増加する。
【００４４】
また、図６に示すように、第２の交番電圧の周波数が０〜５０の範囲、２００以上の範囲では表示濃度がほぼ一定であるが、周波数が５０〜２００の範囲では周波数が増加するに従ってほぼ線形的に表示濃度も増加する。
【００４５】
また、図７に示すように、第２の交番電圧の振幅が０〜１００の範囲、５００以上の範囲では表示濃度がほぼ一定であるが、周波数が１００〜５００の範囲では周波数が増加するに従ってほぼ線形的に表示濃度も増加する。
【００４６】
従って、このような第２の交番電圧のサイクル数と表示濃度との関係、第２の交番電圧の周波数と表示濃度との関係、第２の交番電圧の振幅と表示濃度との関係の少なくとも１つの関係を用いて、線形性を有する範囲で第２の交番電圧のサイクル数、周波数、振幅をの少なくとも１つを制御することにより、着色部４０の色の階調制御、すなわち濃度制御を行なうことができる。
【００４７】
このため、電圧印加部１４では、画像情報に応じて第２の交番電圧のサイクル数、周波数、振幅の少なくとも１つを制御し、着色部４０の色の階調制御を行なう。特に、第２の交番電圧のサイクル数又は周波数を制御することにより階調制御を行なう場合は、粒子を移動させるのに十分な電圧値で階調制御を行うことができるため、表示の安定性が高く且つ表示濃度のむらがほとんどないため好ましい。
【００４８】
このように、電圧印加部１４は、画像情報に応じて第２の交番電圧のサイクル数、周波数、振幅の少なくとも１つを変更することにより着色部４０の色の濃度制御を行なうため、解像度を低下させることなく階調制御することができる。
【００４９】
なお、画像情報に応じて第２の交番電圧のサイクル数、周波数、振幅の少なくとも２つを制御することにより着色部４０の色の階調制御を行なうようにしてもよい。例えば、第２の交番電圧のサイクル数と表示濃度との関係における非線形部分について、周波数や電圧値を適宜変更することにより、非線形部分が線形となるように補正することができる。これにより、ダイナミックレンジを拡大することが可能となる。
【００５０】
また、着色部４０の色による階調表示を切り替える場合、一旦白表示状態又は黒表示状態とした後に表示を切替えることが好ましい。これにより、粒子群の配置状態が均一化した状態から表示切替えが行なわれる、より安定した階調表示を行なうことができる。
【００５１】
また、図７に示すように、着色部４０を、イエローに着色された着色部４０Ｙ、マゼンダに着色された着色部４０Ｍ、シアンに着色された着色部４０Ｃを規則的に配置した構成にすると共に、各着色部に対応して表示側電極２８、内側電極３４及び外側電極３６から成る背面側電極を設け、各着色部毎にセル４４Ｙ、４４Ｍ、４４Ｃを形成するようにしてもよい。そして、図９の点線で示すように、セル４４Ｙ、４４Ｍ、４４Ｃにより１つの画素を構成し、カラー画像情報に応じて任意のセルの粒子移動や着色部の表示濃度を制御することにより、所望の色を表示することができる。また、イエロー、マゼンダ、シアンではなく、これと補色の関係にある赤、緑、青の着色部を用いてもよい。
【００５２】
また、背面基板１８の基板３２、電極層３８、及び絶縁層４２を透明にすると共に、着色部４０Ｙ、４０Ｍ、４０Ｃを透光性を有するものとし、図１０に示すように、背面基板１８の背後にバックライト４６を設けた構成としてもよい。この場合、バックライト４６の光を背面基板１８に照射すると共に、所望のセルの粒子を周囲へ退避させることにより、そのセルの着色部の色をより明るく表示することができる。また、図１１に示すように、例えば隣接するセル４４Ｙ、４４Ｍの粒子を周囲に退避させることにより、Ｒ（Ｙ＋Ｍ）を表示することができる。
【００５３】
また、図１２に示すように、背面基板１８を透明にすると共に、着色部４０を背面基板１８内に設けずに背面基板１８と別個独立に設け、背面基板１８の背後に配置するようにしてもよい。これにより、着色部４０を交換するだけで容易に他の色を表示することができる。また、画像表示媒体１２の製造を容易にすることができる。
【００５４】
本実施の形態では、１つのセルについて矩形状の内側電極３４及び矩形輪状の外側電極３６が設けられると共に１種類の着色部が設けられた構成の画像表示媒体を用いた画像表示装置に本発明を適用した場合について説明したが、本発明はこれに限られるものではない。例えば本発明者らにより提案された特願２００２−２５０２１４号に記載されているように、１つのセルに複数種類の色の着色部が規則的に配置された構成の画像表示媒体を用いた画像表示装置にも本発明を適用可能である。
【００５５】
図１３（Ａ）には、このような画像表示媒体５０の１つのセルの構成について示した。画像表示媒体５０は、画像が表示される側の透明な表示基板５２と、これと微小間隙をもって対向する着色された背面基板５４との間に、基板間を一定に保持するための間隙部材５６と、帯電特性が異なる例えば負に帯電した白色粒子５８及び正に帯電した黒色粒子６０とが封入された構成となっている。
【００５６】
また、背面基板５４は、ガラス基板６２、ＩＴＯ導電膜６４、白色反射層６６、及び着色層６８が積層された構成となっている。
【００５７】
図１３（Ｂ）には、背面基板５４の平面図を示した。図１３（Ｂ）に示すように、着色層６８は、長方形状の赤の着色部６８Ｒ、長方形状の緑の着色部６８Ｇ、長方形状の青の着色部６８Ｂが規則的に並べて配置されている。
【００５８】
図１４には、画像表示媒体５０を用いた画像表示装置７０の概略構成を示した。画像表示装置７０は、画像表示媒体５０、電圧印加部７２、及び電極ヘッド７４で構成される。なお、図１４では、画像表示媒体５０及び電極ヘッド７４は１セル分について示した。
【００５９】
電圧印加部７２は、画像入力装置７５から入力された画像情報に基づいて電極ヘッド７４を制御する。
【００６０】
電極ヘッド７４は、図１５に示したように独立して電圧を印加可能な孤立電極７６を所定間隔で１列に配置されて構成されている。この電極ヘッド７４を、図１６に示すように画像表示媒体５０の表示面に沿って移動させながら画像情報に応じて孤立電極７６に電圧を印加することにより、画像を形成する。
【００６１】
次に、画像表示媒体５０の画像表示方法について説明する。
【００６２】
図１４に示した白表示状態から、電極ヘッド７４の孤立電極７６Ａ及び７６Ｃを接地し、孤立電極７６Ｂに例えば−２００Ｖのパルス電圧を印加すると、図１７に示したように着色部６８Ｇ上の区画では黒色粒子６０が表示基板５２側へ移動する。また、孤立電極７６Ｂに例えば＋２００Ｖのパルス電圧を印加すると、図１７に示した表示状態から図１４に示した白表示状態に戻すことができる。
【００６３】
同様に、画像情報に応じて任意の孤立電極７６に＋２００Ｖ又は−２００Ｖのパルス電圧を印加することにより、コントラストの高い白黒画像表示を行うことができる。
【００６４】
また、電極ヘッド７４の孤立電極７６Ａ及び７６Ｃを接地し、孤立電極７６Ｂに±２００Ｖ、周波数２００Ｈｚの交番電圧を印加すると、図１８に示したように、着色部６８Ｇ上の区画内の白色粒子５８及び黒色粒子６０が着色部６８Ｒ、６８Ｂ上の区画へ移動してほとんど存在しなくなり、表示基板５２側から着色部６８Ｇの色である緑色を視認することができる。
【００６５】
また、電極ヘッド７４の孤立電極７６Ｃを接地し、孤立電極７６Ａと７６Ｂに交番電圧を印加すると、図１９に示したように、着色部６８Ｒ、６８Ｇ上の区画の白色粒子５８及び黒色粒子６０が着色部６８Ｂ上の区画へ移動してほとんど存在しなくなり、着色部６８Ｒ、６８Ｇの色であるＲ色とＧ色とを合わせたＹ色が表示される。
【００６６】
このような構成の画像表示装置においても、着色部の色を表示する場合には、前述した交番電圧のサイクル数、周波数、振幅の少なくとも１つを制御することにより着色部の色の階調制御を行なうことができる。
【００６７】
また、電極ヘッド７４を所定方向に移動させながら電圧を印加する構成に限らず、背面基板５４に着色部６８Ｒ、６８Ｇ、６８Ｂに対応して同一形状の複数のライン状の背面側電極を設けると共に、画像表示媒体５０を平面視したときに背面側電極と直交する複数のライン状の表示側電極を表示基板５２に設け、所謂パッシブマトリクス（単純マトリクス）駆動するようにしてもよい。
【００６８】
なお、本実施の形態では、２種類の粒子を用いた場合について説明したが、これに限らず、１種類又は３種類以上の粒子を用いてもよい。
【００６９】
【発明の効果】
本発明によれば、解像度を低下させずに、より多くの色を表示することができる、という効果を有する。
【図面の簡単な説明】
【図１】（Ａ）は画像表示装置の概略構成図、（Ｂ）は着色部と電極層の配置を示す平面図である。
【図２】画像表示装置の概略構成図である。
【図３】画像表示装置の概略構成図である。
【図４】画像表示装置の概略構成図である。
【図５】交番電圧のサイクル数と着色部の色の表示濃度との関係を示すグラフである。
【図６】交番電圧の周波数と着色部の色の表示濃度との関係を示すグラフである。
【図７】交番電圧の振幅と着色部の色の表示濃度との関係を示すグラフである。
【図８】画像表示媒体の断面図である。
【図９】セルの配置を示す図である。
【図１０】画像表示媒体の断面図である。
【図１１】画像表示媒体の断面図である。
【図１２】着色部と背面基板とが分離した構成の画像表示媒体の断面図である。
【図１３】（Ａ）は画像表示媒体の断面図、（Ｂ）は背面基板の平面図である。
【図１４】画像表示装置の概略構成図である。
【図１５】電極ヘッドの概略構成図である。
【図１６】電極ヘッドの走査について説明するための図である。
【図１７】画像表示装置の概略構成図である。
【図１８】画像表示装置の概略構成図である。
【図１９】画像表示装置の概略構成図である。
【符号の説明】
１０    画像表示装置
１２    画像表示媒体
１４    電圧印加部
１６    表示基板
１８    背面基板
２０    間隙部材
２２    黒色粒子
２４    白色粒子
２６、３２    基板
２８    表示側電極
３０、４２    絶縁層
３４    内側電極
３６    外側電極
３８    電極層
４０    着色部
４６    バックライト
【図１】
2004191535.tif 000003
【図２】
2004191535.tif 000004
【図３】
2004191535.tif 000005
【図４】
2004191535.tif 000006
【図５】
2004191535.tif 000007
【図６】
2004191535.tif 000008
【図７】
2004191535.tif 000009
【図８】
2004191535.tif 000010
【図９】
2004191535.tif 000011
【図１０】
2004191535.tif 000012
【図１１】
2004191535.tif 000013
【図１２】
2004191535.tif 000014
【図１３】
2004191535.tif 000015
【図１４】
2004191535.tif 000016
【図１５】
2004191535.tif 000017
【図１６】
2004191535.tif 000018
【図１７】
2004191535.tif 000019
【図１８】
2004191535.tif 000020
【図１９】
2004191535.tif 000021